(57)【特許請求の範囲】
【請求項１】
結実して１ケ月〜３ケ月のポンカン、伊予柑、又はデコポンからなる柑橘類の未成熟果実と、オリーブの果実とを混合状態で圧搾することにより、柑橘類の果実の成分をオリーブオイル中に抽出して製造することを特徴とする柑橘成分入りオリーブオイルの製造方法。
【請求項２】
柑橘類の未成熟果実が、摘果果実である請求項１記載の柑橘成分入りオリーブオイルの製造方法。
【請求項３】
オリーブの果実が、完熟果実又は成熟果実である請求項１又は２記載の柑橘成分入りオリーブオイルの製造方法。
【請求項４】
柑橘類の果実と、オリーブの果実との混合状態での圧搾が、柑橘類の果実及びオリーブの果実にそれぞれ含まれる種子を破砕しないようになされる請求項１乃至３のいずれかに記載の柑橘成分入りオリーブオイルの製造方法。
【請求項５】
自然濾過により、柑橘類の果実及びオリーブの果実の圧搾物から、柑橘成分入りオリーブオイルを分離して製造する請求項１乃至４のいずれかに記載の柑橘成分入りオリーブオイルの製造方法。
【請求項６】
結実して１ケ月〜３ケ月のポンカン、伊予柑、又はデコポンからなる柑橘類の未成熟果実と、オリーブの果実とを混合状態で圧搾することにより、柑橘類の果実の成分が、オリーブオイル中に抽出されていることを特徴とする柑橘成分入りオリーブオイル。
【請求項７】
柑橘類の未成熟果実が、摘果果実である請求項６記載の柑橘成分入りオリーブオイル。
【請求項８】
オリーブの果実が、完熟果実又は成熟果実である請求項６又は７記載の柑橘成分入りオリーブオイル。
【発明の詳細な説明】
【技術分野】
【０００１】
本発明は、柑橘成分入りオリーブオイルとその製造方法に関するものである。
【背景技術】
【０００２】
オリーブはモクセイ科の常緑樹であり、その果実はそのまま食用とされているだけでなく、主としてオリーブオイルの原料として利用されている。オリーブオイルは、古来より食用油、化粧品、薬品、石鹸原料等として広く用いられており、酸化されにくいオレイン酸を多く含むため、他の食用油に比べて酸化されにくく、さらに固まりにくい性質を有する。また、オリーブオイルにはオリーブ果実由来のポリフェノール類等も含有されており、このポリフェノールが健康増進のために優れた効果を有していることから、近年では人体に対するポリフェノール類の生理的活性作用も注目されている。
【０００３】
このようなオリーブの生理的活性作用に着目して、たとえば下記特許文献１乃至特許文献３のような特許出願がなされている。特許文献１は、オリーブ抽出物に関するもので、スーパーオキシドやヒドロキシラジカル等の活性酸素を除去する機能や、メラニン生成抑制機能等に着目してなされたものである。また特許文献２は、食品組成物に関するもので、オリーブオイルの製造過程において発生するペジテーション水と称される多量の水にポリフェノール類が多く含有されていることを見出し、これを濃縮又は乾固して食品組成物に利用することに着目してなされたものである。さらに特許文献３は、機能性オリーブオイル等に関するもので、オリーブ果実から採油して脱臭処理するまでの間に、化学処理は一切行わず、すべて物理的な処理のみで、有効成分を多く含むようにしたものである。
【０００４】
しかし、特許文献１及び３に係る発明は、スーパーオキシドやヒドロキシラジカル等の活性酸素に着目したにすぎないもので、特許文献１に係る発明は、請求項１に記載されているように「抽出」というきわめてありふれた手段を開示するにすぎないものであり、また特許文献３に係る発明は、請求項１において「物理的な処理」という抽象的な手段を開示するにすぎないものであり、いずれも具体的な手段を講じているとは到底認められない発明である。また特許文献２では、請求項１において「果実の圧搾」、「水溶液の濃縮及び乾固」という具体的な手段を開示するものの、オリーブのみに対してこのような手段を講じているので、それ自体が特別な手段であるとは必ずしも認められない。
【０００５】
一方、特許文献４は、オリーブオイルに関する出願であるが、レシチンを含み、かつ親水性乳化剤を含まないことを特徴とするもので、冷蔵庫内等の低温雰囲気で保存するとオリーブオイルに白濁が生じるという問題点に鑑み、レシチンを含有させ且つ親水性乳化剤を含有させないことで、白濁が生じるのを防止するようにしたものである。
【０００６】
しかし、この特許文献４に開示されているレシチンは、オリーブオイルに白濁が生じるのを防止する成分で、たとえば食品等の用途に適用した場合、オリーブオイルの味や香りを変える等の嗜好性を付与するものではない。また、上記特許文献１乃至３に開示されているオリーブ抽出物、食品組成物、オリーブオイル等も、オリーブ以外の成分を添加したものではないので、食品等の用途への適用に際して、食品組成物、オリーブオイル等としてオリーブの味や香りを変える等の嗜好性を付与するには到底至らない。
【０００７】
ところで、オリーブの果実は上述のようにそれ自体で食用として用いられており、またオリーブオイルはサラダ料理やパスタ料理の仕上げ用調味料等として用いられ、いずれも独特な風味を有して嗜好されているので、あえて味や香りを変える等の嗜好性を付与する必要性がないことはいうまでもない。
【０００８】
しかし、オリーブ特有の風味に加えて、さらにオリーブ以外の他の食用成分等の風味等が付加され、それが新たな嗜好性を生じさせるのであれば、食用としてはもちろん、化粧品や石鹸等の用途においても需要を増大させることが考えられる。
【０００９】
【特許文献１】特開２００１−１８１１９７号公報
【特許文献２】特開２００１−２５２０５４号公報
【特許文献３】特開２００７−５６１８１号公報
【特許文献４】特開２０００−１３９３４８号公報
【発明の開示】
【発明が解決しようとする課題】
【００１０】
本発明は、このような点に鑑みてなされたもので、オリーブオイル自体が本来有している風味を損なわず、柑橘類が有している風味と機能性を付加させることができ、且つそれぞれの風味を減殺させるようなことがなく、しかもオリーブに本来含有されているポリフェノール等の有効成分の含有率を増加させることができるとともに、オリーブに本来含有されていない有効成分を付加させることができ、ひいては生理活性作用を高めることのできる柑橘成分入りオリーブオイルとその製造方法を提供することを課題とする。
【課題を解決するための手段】
【００１１】
本発明は、このような課題を解決するためになされたもので、柑橘類の果実の成分が、オリーブオイル中に抽出されていることを特徴とする柑橘成分入りオリーブオイルを提供するものである。また本発明は、柑橘類の果実の成分をオリーブオイル中に抽出して製造することを特徴とする柑橘成分入りオリーブオイルの製造方法を提供するものである。
【００１２】
柑橘類の果実の成分のオリーブオイル中への抽出は、柑橘類の果実とオリーブの果実とを混合状態で圧搾することにより行われる。ここで「果実」とは、果肉、種子、皮等を含む果実全体を意味する場合の他、たとえば果実の皮等、果実の一部のみを用いる場合も含む意味である。また、果実の絞り粕等も本発明の「果実」に含まれる。さらに、未だ圧搾、切断、破砕、粉砕等を行っていない果実、すなわち、いわゆる丸ごとそのままの果実を意味する場合の他、そのような丸のままの果実を、所定の大きさに切断、破砕、粉砕等を行ったものも本発明の「果実」に含まれる。従って、「混合状態で圧搾する」とは、未だ破砕、粉砕等を行っていないオリーブと柑橘類との丸のままの果実を単に混ぜ合わせ、その状態で圧搾する場合の他、所定の大きさに切断、破砕、粉砕等を行った柑橘類の果実とオリーブの果実を混合して圧搾するような場合も含む。また圧搾とは、一般には「圧力でしぼること」をいうが、本発明においては圧力が加わっているか否かを厳密に問う趣旨ではなく、一般に果実から果汁や果物油等の液分を得ることを広く含む趣旨である。
【００１３】
柑橘類の果実としては、結実して１ケ月〜３ケ月のポンカン、伊予柑、又はデコポンの未成熟果実が用いられる。また、自然濾過により、柑橘類の果実及びオリーブの果実の圧搾物から、柑橘成分入りオリーブオイルを分離して製造することが望ましい。
【発明の効果】
【００１４】
本発明は、上述のように、柑橘類の果実の成分をオリーブオイル中に抽出したものであるため、オリーブオイル自体が本来有している風味と機能性を損なわず、柑橘類が有している風味と機能性をさらに付加させることができ、且つそれぞれの風味を減殺させるようなことがなく、しかもオリーブに本来含有されているポリフェノール等の有効成分の含有率を増加させることができるとともに、オリーブに本来含有されていない有効成分を付加させることができ、ひいては生理活性作用を高めることができるとともに、柑橘の香りがする高級感のある柑橘成分入りオリーブオイルを提供することが可能になるという効果がある。
【００１５】
特に、柑橘類の果実とオリーブの果実とを混合状態で圧搾することにより、柑橘類の果実の成分をオリーブオイル中に抽出するので、オリーブオイルが主たる有効成分として含有されるだけでなく、あたかもオリーブオイル自身が柑橘類の果実の皮、果肉、その他構成部分の内部に浸透して成分を抽出する抽出溶媒のような機能をするという、単にオリーブオイルと柑橘果汁とを混合することによっては到底発揮できないような作用、効果を生じることとなる。この結果、双方の成分が相溶化して長期間放置しても相分離し難く、また柑橘類の成分を抽出するための溶媒を必要としない等の効果がある。
【００１６】
さらに、自然濾過によって固形物のみを除去した場合には、混合物中から有効な成分が不用意に分離除去されるようなことを防止できるという効果がある。
【００１７】
また柑橘類として結実して１ケ月〜３ケ月のポンカン、伊予柑、又はデコポンの未成熟果実を用いたので、有効成分の含有量の多い柑橘成分入りオリーブオイルを得ることができるという効果がある。
【発明を実施するための最良の形態】
【００１８】
以下、本発明の実施形態について説明する。
【００１９】
本発明の柑橘成分入りオリーブオイルは、上述のように、柑橘類の果実の成分が、オリーブオイル中に抽出されていることを特徴とするものである。また本発明の柑橘成分入りオリーブオイルの製造方法は、柑橘類の果実の成分をオリーブオイル中に抽出して製造することを特徴とするものである。柑橘類の果実の成分のオリーブオイル中への抽出は、主として柑橘類の果実とオリーブの果実とを混合状態で圧搾することにより行われる。
【００２０】
柑橘類の種類としては、たとえばポンカン、伊予柑、ハッサク、デコポン、スィートスプリング、甘夏柑、温州ミカン、スダチ、柚、カボス、ダイダイ、その他の柑橘類を使用することができる。また、使用する柑橘の種類は目的とする風味に合わせて複数種のものを適宜選択して混合することが可能である。特にポンカン又は伊予柑を用いることが好ましい。
【００２１】
柑橘類の果実としては、成熟果実そのもの、成熟果実の皮、成熟果実のジュース絞り粕、未成熟果実等を使用することができる。未成熟果実とは、可食部が充分に成長していない果実をいう。狭義の未成熟果実は、一般には結実後５ヶ月〜６ヶ月以内のものをいう場合が多いが、本発明における未成熟果実には、結実後１ヶ月
〜５ヶ月程度のものも含む。これら未成熟果実のうち、結実して１ケ月〜３ヶ月のものには、成熟果実よりもポリフェノール類が多く含まれていることが分かっており、このポリフェノール類を有効に活用するためにも結実して１ケ月〜３ヶ月の未成熟果実を用いることが好ましい。
【００２２】
さらに、結実して１ケ月〜３ヶ月の未成熟果実のうち、成熟させて収穫するためのものを残して、それ以外のものを剪定して間引くことがある。そのように剪定される果実のこと摘果果実といい、この摘果果実を用いることがさらに好ましい。通常はこのような剪定屑としての摘果果実、成熟果実の皮、ジュース絞り粕などは廃棄処分となるが、これらを利用することで、廃棄物の有効利用が図られることとなるためである。
【００２３】
さらに、オリーブの品種としては、ミッション、マンザニロ、ネバディロ・ブランコ、ルッカ、その他、イタリア産やスペイン産の様々な種類のものが利用できる。単独種のオリーブを用いてもよいが、風味を調製するために複数品種のオリーブの果実の混合物を使用することもできる。
【００２４】
また、オリーブ果実としての熟成度については、完全に熟した完熟果実、完熟の
少し前段階の成熟果実、未成熟果実が何れも利用できる。完熟果実は、外皮の色は黒色で、果肉の全体的に紫色で充分に柔らかく、採取されるオイルは黄金色である。成熟果実は、外皮の色は赤みがかった紫色で、果肉は白色で少し柔らかく、採取されるオイルは緑がかった黄色である。未成熟果実は、外皮の色は緑色で、果肉は白色で堅く、採取されるオイルは黄色がかった緑色である。このように、採取されるオイルは、オリーブ果実の熟成度によって、香り、辛み、苦みなどの風味、油分、水分等の成分の構成が異なる。これはオリーブ果実の成熟度によって変化する含有成分の差に起因するものであり、適宜、選択して用いることが好ましい。特に、完熟果実あるいは成熟果実を用いることが好ましい。
【００２５】
本発明の柑橘成分入りオリーブオイルは、前記柑橘類の果実と前記オリーブの果実との様々な組み合わせによって製造することができる。特に、風味と生理的活性作用との観点から、柑橘類の未成熟果実とオリーブの完熟果実あるいは成熟果実との組み合わせが好ましい。さらに、前記組み合わせにおいて、柑橘類の品種はポンカンと伊予柑、オリーブの品種はミッションを用いるのが好ましい。
【００２６】
次に、上記のような柑橘成分入りオリーブオイルを製造する製造方法の一実施形態を図１に従って説明する。
【００２７】
先ず、傷物や虫食いなどの原料として適さないものを除去して選別したオリーブの果実と柑橘類の果実を洗浄する。
【００２８】
次に、洗浄後のオリーブの果実と柑橘類の果実とを、オリーブオイルの搾油機のような柑橘成分入りオリーブオイルの製造装置に供給し、混合状態で圧搾する。より具体的には、オリーブの果実と柑橘類の果実とを、たとえばホッパーのようなものを介して投入して混合状態とし、その混合状態のままスクリュー式供給機等によって両者をハンマーミル等の粉砕機へ供給し、その破砕機で混合状態の両者を粉砕する。このようなスクリュー式供給機等での供給や粉砕によって、結果的にはオリーブの果実と柑橘類の果実とが同時に圧搾されることになる。
【００２９】
このように混合状態のオリーブの果実と柑橘類の果実とを同時に圧搾する場合、オリーブの果実や柑橘類の果実に含まれる種子を破砕しないように行うことが好ましい。これは、種子に多く含まれるリノール酸が過剰にオリーブオイル中に含有されることを防止するためである。オリーブオイルは、主成分であるオレイン酸とリノール酸とのバランスが重要であり、このバランスが崩れることによって品質が低下することを防止するために、圧搾時における粉砕等の条件を制御することが好ましいのである。
【００３０】
次に、混合、粉砕されたオリーブの果実と柑橘類の果実とを攪拌混合する。この攪拌混合は、たとえば攪拌器等で行われる。この攪拌混合の際に、柑橘類果実の粉砕物とオリーブ果実粉砕物とが接触し、主として含有されるオリーブオイルが、柑橘類果実の粉砕物の内部に充分に浸透して成分を抽出するように作用するのである。
【００３１】
次に、攪拌混合された混合物から、主として油相部分を分離する。すなわち、オリーブや柑橘類の果実の破砕物等の固形物、及び水相から、大部分の油相部分が分離されることとなる。その後、分離された油相部分を、濾過装置によって自然濾過する。このようにして、濾過された柑橘成分入りオリーブオイルが製造されることとなる。
【００３２】
尚、前記油相部分の分離の手段について、たとえば遠心分離等の強制的な分離方法を採用すると、有効成分が不用意に分離されて除去されるおそれがある。そのため、自然濾過することによって固形物のみを除去し、混合物としての液状の有効成分をほとんどオイル中に保持することが好ましい。
【００３３】
このように、自然濾過の方法を用いると、油相部分以外の固形分および水相部分が除去されて、透明度に優れた最高品質のオリーブオイルを製造することが可能となる。一方、水相部分には水溶性の総ポリフェノールなど水に溶解する有効成分が含有されていることから、この水溶性有効成分を利用する場合には、微細な固形分のみを除去するような濾過条件で濾過することが好ましい。このようにして濾過した場合には、オイル中に水溶性の有効成分が逆ミセル状になってオイル中に均一に分散した状態となり、前述の最高品質のオリーブオイルと比べてわずかに透明度が低いオイルが得られるが、水溶性有効成分に起因する機能性をオイルに付与することが可能となる。
【００３４】
次に、上記のようなオリーブの果実と柑橘類の果実との同時圧搾による製造方法を実施するための製造装置の一例を、図２に従って説明する。
【００３５】
図２に示す柑橘成分入りオリーブオイルの製造装置は、ホッパー１と、果実供給体２と、粉砕具３と、攪拌器４と、ペースト供給体５と、デカンター６とを具備して構成されている。
【００３６】
ホッパー１は、原料であるオリーブの果実と柑橘類の果実とを装置内に投入するためのものであり、柑橘成分入りオリーブオイルの製造装置の最上部に設けられている。
【００３７】
果実供給体２は、前記ホッパー１へ投入されたオリーブの果実と柑橘類の果実とを、粉砕具３へ供給するためのものである。この果実供給体２にはスクリューが具備されており、さらに、図示しないが、速度を可変することのできるギアモーターが具備されている。そして、ギアモーターの駆動により、軸を中心にスクリューが回転することによって、果実のままの状態で混合されたオリーブと柑橘類とが供給されるように構成されている。
【００３８】
粉砕具３は、前記果実供給体２によって供給されたオリーブの果実と柑橘類の果実とを粉砕するものであり、ハンマーミルとして機能するような構成からなるものである。この粉砕具３は、前記果実供給体２の側部に設けられている。
【００３９】
攪拌器４は、前記粉砕具３で粉砕されたオリーブと柑橘類との果実の粉砕物を攪拌混合するためのものである。この攪拌器４には、攪拌軸や攪拌翼が具備され、さらに速度を可変することのできるギアモーターが具備されている。そして、該ギアモーターの駆動により、攪拌軸を中心に攪拌翼が回転することによって、オリーブと柑橘類との果実の粉砕物が攪拌混合されるように構成されている。この攪拌器４は、前記粉砕具３の下部に設けられている。
【００４０】
ペースト供給体５は、前記攪拌器４によって攪拌混合されてペースト状とされたオリーブと柑橘類との果実の粉砕混合物をデカンター６へ供給するものであり、前記攪拌器４に設けられている。このペースト供給体５にも、速度を可変することのできるギアモーターが具備されている。
【００４１】
デカンター６は、粉砕されたオリーブと柑橘類との果実粉砕混合物残渣を、前記ペースト状の混合物から分離するためのものであり、前記ペースト供給体５の側方に設けられている。このデカンター６は、遠心分離機のように機能するものであるが、一般のオリーブオイルを製造する際に、オリーブ果実の残滓や水分から、油分であるオリーブオイルをほぼ完全に分離するような遠心分離機ではなく、上記のようにペースト状の混合物から、オリーブと柑橘類との果実粉砕混合物の粗い残渣を分離、除去することを主眼とするものである。このようなデカンター６を採用したのは、一般の遠心分離機のようなものを用いると、オリーブの果実や柑橘類の果実の有効成分までもが不要に分離、除去されるおそれがあり、このような事態を避けるためである。
【００４２】
このデカンター６とペースト供給体５との間には、前記オイルを排出するためのオイル排出用ダクト８が設けられている。このオイル排出用ダクト８は、目的とする柑橘成分入りオリーブオイルを装置から排出して取り出すためのものであるが、上述のように遠心分離によると有効成分が不要に分離、除去されるおそれがあるので、上記のようにデカンター６ではオリーブ果実と柑橘類との粗い残渣のみが主として分離、除去された状態でオイル排出用ダクト８から排出されるように構成されている。このため、わずかに不透明で粘度の高い状態でオイル排出用ダクト８からオイルが排出されることとなる。
【００４３】
得られた不透明で粘度の高いオイルは、濾過装置１０に供給することによって自然濾過され、最終製品としてのオイルが得られることとなる。この濾過装置１０は、図２に示すように、回収槽１４と、該回収槽１４の上部に複数個（図２では３個）設けられたロート１３とを具備して構成されている。そのロート１３の内面側には濾材１２が設けられており、この濾材１２が、主として濾過機能を有する構成部材である。この濾材１２としては、高分子材料繊維で構成された不織布や織布、セルロース製の濾紙、ステンレス鋼線材で構成される焼結材あるいは濾材などが利用できる。
【００４４】
この複数個のロート１３に、前記オイル排出用ダクト８から排出される柑橘成分入りオリーブオイルが滴下されるように、該オイル排出用ダクト８には配管部１５が接続され、その該配管部１５の先端部１５ａが前記ロート１３の上部に臨出するように配置されている。その配管部１５の先端部１５ａの手前側にはバルブ１６が設けられ、そのバルブ１６によって、ロート１３に滴下される柑橘成分入りオリーブオイルの滴下量が調節されるように構成されている。配管部１５の流路となる途中の部分にはポンプ１１が設けられており、そのポンプ１１によって、柑橘成分入りオリーブオイルの濾過装置１０への供給がなされるとともに、その供給量の調節がなされるように構成されている。
【００４５】
なお、上記オイル排出用ダクト８と反対側のデカンター６の側部には、オリーブの果実と柑橘類の果実との粗い残渣を排出するための残渣排出部９が設けられている。この残渣排出部９からは、主としてオリーブの果実と柑橘類の果実との粗い残渣が排出されるが、粘度の高いペースト状残渣もこの残渣排出部９から排出される。
【００４６】
そして、このような装置を用いて柑橘成分入りオリーブオイルを製造する方法について説明する。
【００４７】
先ず、原料であるオリーブの果実と柑橘類の果実とをホッパー１に投入する。このようにオリーブの果実と柑橘類の果実との両者が１つのホッパー１から投入された時点で、オリーブと柑橘類とは、果実のままの状態ですでに混合された状態となる。
【００４８】
ホッパー１に投入されて混合状態とされたオリーブの果実と柑橘類の果実とは、果実供給体２によって粉砕具３へ供給される。このように果実供給体２によって供給される際、その果実供給体２のスクリューの回転によって、混合状態のオリーブの果実と柑橘類の果実との圧搾が開始されることとなる。オリーブの果実と柑橘類の果実とが粉砕具３へ供給されると、該粉砕具３がハンマーミルとして機能し、混合状態のオリーブの果実と柑橘類の果実とが粉砕され、果肉部分と種子部分とに大まかに分離される。
【００４９】
次に、粉砕されたオリーブの果実と柑橘類の果実とは、前記粉砕具３から落下して攪拌器４に供給され、該攪拌器４内で攪拌混合される。攪拌混合されたオリーブの果実と柑橘類の果実との混合物はペースト状となり、該攪拌器４から排出されてペースト供給体５に供給される。
【００５０】
ペースト供給体５に供給されたペースト状混合物は、該ペースト供給体５からデカンター６側へ供給されることとなる。そして、ペースト供給体５からデカンター６側へ供給されたペースト状混合物は、該デカンター６によって、オイル分を含み、粘度の低いペーストを含むオイル混合物と、オリーブの果実と柑橘類の果実との粗い残渣とに分離され、粗い残渣は残渣排出部９から排出される。
【００５１】
一方、わずかに不透明で粘度の高い状態のオイル混合物は、オイル排出用ダクト８から排出される。この場合において、デカンター６は、上述のようにペースト状の混合物から、オリーブの果実と柑橘類の果実との粗い残渣と粘度の高いペーストを分離、除去する。この際、ある程度の水分は除去されるものの、オリーブの果実や柑橘類の果実の有効成分が不要に分離、除去されるおそれは少ない。従って、ポリフェノールやリモネン等の有効成分は、わずかに不透明で粘度の高い状態のオイル混合物として、オイル排出用ダクト８から排出されることとなる。
【００５２】
オイル排出用ダクト８から排出されたオイル混合物は、濾過装置１０に投入されることによって自然濾過されることとなる。このとき、有効成分を含むオイル分のみが滴下され、オリーブの果実と柑橘類の果実との微粒残渣は、濾過装置によって分離除去される。その結果、わずかに不透明であったオイル混合物が、透明な高品質のオイルとなる。
【００５３】
このようにして、上記装置により、柑橘成分入りオリーブオイルが製造されることとなる。
【実施例】
【００５８】
以下、本発明の実施例について説明する。
（実施例１）
本実施例は、透明度の高い最高品質の柑橘成分入りオリーブオイルを製造するための実施例である。本実施例では、原料として、ポンカンの未成熟果実の摘果果実（以下、摘果ポンカンと略する。）と、オリーブの果実とを用いた。
【００５９】
原料として、結実後２ヶ月を経過した摘果ポンカン３ｋｇと、オリーブの果実（品種ミッション）２０ｋｇとを、搾油機内のハンマーミルで混合、粉砕し、オイル状混合物を回収した。回収した混合物を、攪拌槽で攪拌した後、搾油機内のデカンター（遠心分離機）により固形物と水分を除去した。その後、濾過装置を用いて僅かに残る不純物を除去し、ポンカン成分入りオリーブオイル２．９５ｋｇを得た。
【００６０】
濾過装置としては、質量３２０ｇ／ｍ2、厚さ０．７４ｍｍ、濾水時間８０秒、保留粒子径３μｍの規格の、アドバンテック社製のセルロース濾紙を大型のロートに装着したものを用いた。得られたポンカン成分入りオリーブオイルの酸価は０．３４５であった。
【００６１】
なお、酸価は、得られたポンカン成分入りオリーブオイルをエタノールとエーテルの等量混合溶液に溶かし、その溶液を水酸化カリウム標準液で滴定して求めた（基準油脂分析試験法：日本油化学会）。この酸価は、オリーブオイル等の油脂の品質を評価する上で非常に重要な指標となるものであり、油脂中の遊離脂肪酸の量を表すものである。そして、その量が少ないほど高品質とされる。酸価度あるいは酸価値とも表示される。ＪＡＳオリーブ油規格では、高品質のオリーブオイルは酸価度２．０以下と定められている。この基準に照らし合わせても、本実施例のオリーブオイルは高品質であることが分かった。
【００６２】
得られたポンカン成分入りオリーブオイルの成分の分析を行った結果、リモネンと総ポリフェノールが検出された。ここで、リモネンの検出はガスクロマトグラフ質量分析（ＧＣ−ＭＳ分析）によって行い、総ポリフェノールは、当該業界で成分分析の目的で一般的に用いられているFolin-Ciocalteau法によって分析した。リモネンと総ポリフェノールの検出量は、表１に示すとおりである。
【００６３】
（実施例２）
本実施例は、透明度の高い最高品質の柑橘成分入りオリーブオイルを製造するための他の実施例であり、柑橘果実として、上記実施例１の摘果ポンカンに代えて伊予柑の未成熟果実の摘果果実（以下、摘果伊予柑と略す。）を用いたものである。
【００６４】
結実後２ヶ月を経過した摘果伊予柑２ｋｇと、オリーブの果実（品種ミッション）２０ｋｇとを、搾油機内のハンマーミルで粉砕混合し、オイル状混合物を回収した。回収した混合物を、攪拌槽で攪拌した後、搾油機内の遠心分離機により固形物と水分を除去した。その後、濾過装置を用いて不純物を除去し、伊予柑成分入りオリーブオイル３．３ｋｇを得た。濾過装置は実施例１と同様のものを用いた。また得られた伊予柑成分入りオリーブオイルの酸価は０．３５０であった。酸価は、実施例１と同じ方法で測定した。
【００６５】
また、実施例１と同様の方法で、得られたオイルの成分の分析を行った結果、リモネンと総ポリフェノールが検出された。リモネンと総ポリフェノールの検出量は、表１に示すとおりである。
【００６６】
（比較例１）
本比較例は、オリーブの果実のみからオイルを回収した結果である。
【００６７】
まず始めに、オリーブの果実（品種ミッション）２０ｋｇについて、搾油機内のハンマーミルで粉砕混合し、オイル状物を回収した。回収したオイル状物を、攪拌槽で攪拌した後、搾油機内の遠心分離機により固形物と水分を除去した。その後、濾過装置を用いて不純物を除去し、オリーブオイル３．２ｋｇを得た。
【００６８】
実施例１、２と同様の方法で、得られたオイルの成分の分析を行った結果（表１）、総ポリフェノールが検出された。一方、リモネンは検出されなかった。表１の結果から、オリーブオイルに含有される総ポリフェノールは上記実施例１及び２の混合オイルより少ないことが分かった。
【００６９】
この結果から、混合状態の、オリーブの果実と摘果ポンカン若しくは摘果伊予柑の果実との同時圧搾によって、摘果果実由来のリモネンと総ポリフェノールが確実にオリーブオイル中に移行したことが分かった。移行した成分量（移行値）は、オリーブの果実と摘果ポンカン若しくは摘果伊予柑の果実との同時圧搾で得られた実施例１若しくは実施例２と、オリーブの果実のみからオイルを回収した比較例１との成分量の差に基づいて求めることができる。たとえば、実施例１の総ポリフェノールの移行値は、５３１．４−４６３．８（μｇ／ｇ−ｏｉｌ）で求めることができ、実施例２の総ポリフェノールの移行値は、４８３．３−４６３．８（μｇ／ｇ−ｏｉｌ）で求めることができる。その移行値を表２に示す。
【００７０】
さらに、使用した摘果果実の単位重量当たりにオリーブオイルに移行した成分量（換算値）を求めたものを、表３に示した。尚、移行値を換算値に換算するための式は次の通りである。また、（ｇ−pon）は、摘果ポンカンの重量を、（ｇ−iyo）は、摘果伊予柑の重量を意味する単位である。
【００７１】
＜実施例１＞
換算値＝（移行値）×（２．９５ｋｇ−oil）／（３ｋｇ−pon）
＜実施例２＞
換算値＝（移行値）×（３．３ｋｇ−oil）／（２ｋｇ−iyo）
【００７２】
【表１】
0004236690.tif 000002
【００７３】
【表２】
0004236690.tif 000003
【００７４】
【表３】
0004236690.tif 000004
【００７５】
（比較例２）
本比較例は、摘果果実のみを粉砕して回収したものに含有される有効成分を分析した例である。
【００７６】
結実後２ヶ月を経過した摘果ポンカン１００．４６ｇを準備し、これを粉砕して２．２１ｇの果汁を得た。得られた果汁の成分の分析を、実施例１及び２と同様の方法で行った結果、リモネンと総ポリフェノールが検出された。リモネンと総ポリフェノールの検出量は、表４に示すとおりである。
【００７７】
表４において、比較例２のリモネンと総ポリフェノールの検出量は、果汁中の含有量であり、そのままでは前記表３に示した実施例１及び２のような量と対比することができない。そこで、検出量の単位を表３と同じ単位に変換させるために、次のように換算することが必要となる。
【００７８】
換算値＝（検出量）×（２．２１ｇ−juice）／（１００．４６ｇ−pon）
【００７９】
算出された換算値を表５に示す。この換算値を表３の実施例１と対比すると、比較例２の摘果ポンカンのオイルに換算したリモネンの換算値は、実施例１に比べてはるかに少ないことがわかった。一方、総ポリフェノールの換算値は実施例１よりは多い値となった。
【００８０】
油溶性のリモネンは、単に摘果ポンカンを粉砕してその果汁をオリーブオイルに混合しただけではオリーブオイル中に移行されにくいが、オリーブ果実と混合して攪拌することによってオリーブオイルによって好適に抽出されて、オイル中に移行することができたと考えられた。
【００８１】
油溶性と水溶性の両方の成分を含有する総ポリフェノールは、単に摘果ポンカンを粉砕した場合には油溶性と水溶性の両方のものが回収される。しかし、オリーブオイルを用いた場合には、油溶性の総ポリフェノールが主としてオイル中に移行したために、実施例１よりも比較例２の値が多くなったと考えられた。
【００８２】
（比較例３）
本比較例は、摘果果実のみを粉砕して回収したものに含有される有効成分を分析した別の例である。
【００８３】
結実後２ヶ月を経過した摘果伊予柑１００．３２ｇを準備し、これを粉砕して１４．５３ｇの果汁を得た。得られた果汁の成分の分析を、実施例１及び２と同様の方法で行った結果、リモネンと総ポリフェノールが検出された。リモネンと総ポリフェノールの検出量は、表４に示すとおりである。
【００８４】
表４において、比較例３のリモネンと総ポリフェノールの検出量は、果汁中の含有量であり、そのままでは前記表３に示した実施例１及び２のような量と対比することができない。そこで、検出量の単位を表３と同じ単位に変換させるために、次のように換算することが必要となる。
【００８５】
換算値＝（検出量）×（１４．５３ｇ−juice）／（１００．３２ｇ−iyo）
【００８６】
算出された換算値を表５に示す。この換算値を表３の実施例２と対比すると、比較例３の摘果伊予柑のオイルに換算したリモネンの換算値は、実施例２に比べてはるかに少ないことがわかった。一方、総ポリフェノールの換算値は実施例２よりは多い値となった。
【００８７】
油溶性のリモネンは、単に摘果伊予柑果実を粉砕してその果汁をオリーブオイルに混合しただけではオリーブオイル中に移行されにくいが、オリーブ果実と混合して攪拌することによってオリーブオイルによって好適に抽出されて、オイル中に移行することができたと考えられた。
【００８８】
油溶性と水溶性の両方の成分を含有する総ポリフェノールは、単に摘果伊予柑を粉砕した場合には油溶性と水溶性の両方のものが回収される。しかし、オリーブオイルを用いた場合には、油溶性の総ポリフェノールが主としてオイル中に移行したために、実施例２よりも比較例３の値が多くなったと考えられた。この傾向は、比較例１と実施例１との比較結果の傾向と同様であった。
【００８９】
【表４】
0004236690.tif 000005
【００９０】
【表５】
0004236690.tif 000006
【００９１】
上記実施例１、２、及び比較例１乃至３の結果から、オリーブのみ或いは柑橘類のみのサンプルよりも、柑橘類成分入りオリーブオイルにおける各成分の含有量が増加することが確認された。特に、柑橘類由来の油溶成分が好適にオリーブオイル中に移行することが確認された。
【００９２】
さらに、上記実施例１及び２の結果から、柑橘成分入りオリーブオイルの酸価が、ＪＡＳオリーブ油規格の高品質オリーブオイルの酸価２．０よりも低い値であり、さらに最高品質であるとともに安定性が極めて高いことが分かった。この結果から、本実施例による柑橘成分入りオリーブオイルは、食品はもとより、品質の安定性を要求される化粧品への適用も可能であることが分かった。
【図面の簡単な説明】
【００９３】
【図１】一実施形態としての柑橘成分入りオリーブオイルの製造方法の製造工程を示すブロック図。
【図２】一実施形態としての柑橘成分入りオリーブオイルの製造装置の概略正面図。
【符号の説明】
【００９４】
３…粉砕具
４…攪拌器
６…デカンター
【図１】
0004236690.tif 000007
【図２】
0004236690.tif 000008